(57)【要約】【課題】従来の折畳み方式の組立収納容器では、収納袋を着脱自在に装着する収納袋装着体を、装着した収納袋が外部に露見しないように個別の収納袋閉塞体で閉塞していた。【解決手段】対向する２枚の傾斜板と１枚の底板を開閉自在なる三角をもって筒状に形成し、この両側開口部を閉塞するところの対向する２枚の略四辺形からなる装着体側閉塞板に、折畳み自在とするための折曲げ線を配設して傾斜板と装着体側閉塞板を開閉自在なる四角をもって山形状に形成し、対向する２枚の傾斜板間の角に配設する分割自在なるミシン目をもって開口する収納物投入口の周縁に収納袋開口縁を接合し、底板に配設した折曲げ線と、装着体側閉塞板に配設した折曲げ線により扁平状に折畳み自在となり、従来の収納袋装着体と収納袋閉塞体が一体となるところの使い捨て組立収納容器とすることができる。【選択図】図９
2006052015.tif 000002
【特許請求の範囲】
【請求項１】
対向する２枚の傾斜板と１枚の底板からなる収納袋装着体を開閉自在なる三角をもって筒状に形成し、対向する二辺が上記底板の両端の二角に挟持される組立保持板を、上記両端の二角に平行するところの折曲げ線を配設した上記底板上に着脱自在に載置して、上記収納袋装着体を扁平状に折畳み自在とし、上記傾斜板に収納物投入口を開口し、収納袋開口縁を上記収納物投入口の周縁に付設した係止溝に着脱自在に挟着し、対向する上記傾斜板上に重ね合わせて折曲げ線をもって対向する積層傾斜板と、この積層傾斜板が形成する側開口部を閉塞するところの対向する三角形の側閉塞板からなる収納袋閉塞体を、対向する上記側閉塞板の斜辺に沿うところの開閉自在なる四角をもって山形状に形成し、対向する上記側閉塞板には上記斜辺が交わるところを支点とする折曲げ線を配設して、上記収納袋閉塞体を扁平状に折畳み自在とする組立収納容器において、上記収納袋装着体の両側開口部を閉塞するところの対向する２枚の装着体側閉塞板と、開口した収納物投入口の周縁に収納袋開口縁を接合した対向する２枚の上記傾斜板を、上記装着体側閉塞板の斜辺に沿うところの開閉自在なる四角をもって山形状に形成し、上記底板両端の二角に平行するところの上記底板に配設した折曲げ線と、上記装着体側閉塞板の上記斜辺が交わるところを支点とする上記装着体側閉塞板に配設した折曲げ線により、扁平状に折畳み自在とすることを特徴とする使い捨て組立収納容器。
【請求項２】
略四辺形からなる装着体側閉塞板の対向する二辺間に折畳み自在とするための折曲げ線を配設し、この二辺と傾斜板を開閉自在なる四角をもって山形状に形成し、対向する２枚の傾斜板間の角に分割自在なるミシン目を配設して収納物投入口を開口することを特徴とする請求項１記載の使い捨て組立収納容器。
【発明の詳細な説明】
【技術分野】
【０００１】  本発明は、常備されてない場合の旅行・集会等で使用されるもので、主としてゴミや廃品等を収集するための使い捨て組立収納容器に関する。
【背景技術】
【０００２】  従来の折畳み方式の組立収納容器には、収納袋を着脱自在に装着する収納袋装着体と、この収納袋が外部に露見しないように収納袋装着体を閉塞するための収納袋閉塞体で構成するものがある。【０００３】  以下、図５〜図８により従来の組立収納容器について説明する。
図において、組立収納容器は収納袋装着体６と収納袋閉塞体７より構成され、収納袋装着体６は収納袋装着板８、組立保持板９、収納袋２より形成している。
収納袋装着板８は１枚の厚み０．５ｍｍ程度の厚紙を用い、それぞれ四辺形の底板８ａと対向する傾斜板８ｂ、８ｃを、断面形状が二等辺三角形となるところの三角８ｄ〜８ｆのうちの角８ｅにて接着剤で貼り合わせて筒状にしたものである。
また、収納袋装着板８の三角８ｄ〜８ｆにはそれぞれ折曲げ線８ｇ〜８ｉを配設し、底板８ａにも両端の二角８ｅ、８ｆに平行して二等分するところの折曲げ線８ｊを配設しており、この底板８ａを折曲げ線８ｊをもって対向する傾斜板８ｂ、８ｃ間に折畳むならば、対向する傾斜板８ｂ、８ｃは互いに重なり合うこととなり、収納袋装着板８は扁平状に折畳まれることとなる。【０００４】  組立てした収納袋装着板８の底板８ａ上には、底板８ａより一回り小さいところの組立保持板９を載置している。取り除かない限り底板８ａが折曲げられることのない程度の強度を有する組立保持板９は、厚み１ｍｍ程度の四辺形の厚紙からなり、四辺のうちの対向する二辺９ａ、９ｂは、底板８ａの両端の二角８ｅ、８ｆに挟持されており、収納袋装着板８は断面形状が二等辺三角形の筒状に保持されることとなる。なお、底板８ａ上に載置した組立保持板９を横方向にスライドしたりして取り除くならば、底板８ａは折曲げ線８ｊをもって折曲げられて収納袋装着板８は扁平状に折畳まれることは言うまでもない。【０００５】  対向する傾斜板８ｂ、８ｃのうちの片方の傾斜板８ｂには、四辺８ｋ〜８ｎからなる四辺形の収納物投入口８ｐを開口している。この収納物投入口８ｐの四辺８ｋ〜８ｎのうち、収納袋装着板８の三角８ｄ〜８ｆに平行するところの対向する二辺８ｋ、８ｍにおいては、開口縁を外側方向に折返してプラスチック製の収納袋２の開口縁を挟着できるところの係止溝８ｑ、８ｒ、を形成しており、着脱自在に装着できることとなる収納袋２は、収納袋装着板８内にて安定した状態にすることができる。【０００６】  収納袋閉塞体７は、それぞれ厚み０．５ｍｍ程度の厚紙からなる対向する積層傾斜板７ａ、７ｂと側閉塞板７ｃ、７ｄより形成され、積層傾斜板７ａ、７ｂは、上記で説明した収納袋装着板８の対向する傾斜板８ｂ、８ｃに重なり合うものである。
この対向する積層傾斜板７ａ、７ｂにより形成される側開口部を閉塞するのが側閉塞板７ｃ、７ｄであり、対向する積層傾斜板７ａ、７ｂと対向する側閉塞板７ｃ、７ｄは、二等辺三角形なる側閉塞板７ｃ、７ｄの斜辺に沿うところの四角７ｅ〜７ｈにて接着剤にて互いに貼り合せて山形状に形成し、組立した収納袋装着体６の対向する側開口部、及び、傾斜板８ｂの収納物投入口８ｐをそれぞれ閉塞することとなる。
また、積層傾斜板７ａ、７ｂにおいては、収納袋装着板８の対向する傾斜板８ｂ、８ｃ間に位置する角８ｄに対応するところに折曲げ線７ｉを配設し、収納袋閉塞体７の四角７ｅ〜７ｈにもそれぞれ折曲げ線７ｊ〜７ｍを配設し、対向する側閉塞板７ｃ、７ｄにも斜辺が交わるところを支点とする折曲げ線７ｎ、７ｐを配設しており、この対向する側閉塞板７ｃ、７ｄを対向する積層傾斜板７ａ、７ｂ間に折畳むならば、対向する積層傾斜板７ａ、７ｂも互いに重なり合うこととなり、収納袋閉塞体７は扁平状に折畳まれることとなる。
【発明の開示】
【発明が解決しようとする課題】
【０００７】  以上に述べた従来の折畳み方式の組立収納容器では、収納袋を着脱自在に装着する収納袋装着体は、装着された収納袋が外部に露見しないように個別の収納袋閉塞体で閉塞されていた。【０００８】  本発明は、このような従来の構成が有していた問題を解決しようとするものであり、収納袋を装着する収納袋装着体と、これを閉塞する収納袋閉塞体を一体に形成して、使い捨てできるところの安価な組立収納容器を実現することを目的とするものである。
【課題を解決するための手段】
【０００９】  そして、本発明は上記目的を達成するために、収納袋装着体は、対向する２枚の傾斜板と１枚の底板を開閉自在なる三角をもって筒状に形成し、この両側開口部を閉塞するところの対向する２枚の装着体側閉塞板と上記傾斜板を、上記装着体側閉塞板の斜辺に沿うところの開閉自在なる四角をもって山形状に形成している。なお、収納袋開口縁は上記傾斜板に開口した収納物投入口の周縁に接合し、上記底板両端の二角に平行するところの上記底板に配設した折曲げ線と、上記装着体側閉塞板の上記斜辺が交わるところを支点とする上記装着体側閉塞板に配設した折曲げ線により、この収納袋装着体は扁平状に折畳み自在としている。【００１０】  また、収納物投入口を大きな開口とするために、略四辺形からなる装着体側閉塞板の対向する二辺間に折畳み自在とするための折曲げ線を配設し、この二辺と傾斜板を開閉自在なる四角をもって山形状に形成し、対向する２枚の傾斜板間の角に分割自在なるミシン目を配設している。
【発明の効果】
【００１１】  上述したように本発明における使い捨て組立収納容器は、対向する２枚の傾斜板と１枚の底板を開閉自在なる三角をもって筒状に形成し、この両側開口部を閉塞するところの対向する２枚の装着体側閉塞板と、収納袋開口縁を接合するところの収納物投入口を開口した上記傾斜板を、上記装着体側閉塞板の斜辺に沿うところの開閉自在なる四角をもって山形状に形成して、従来の収納袋装着体と収納袋閉塞体が一体に形成されたこととなる。なお、この組立収納容器は、上記底板両端の二角に平行するところの上記底板に配設した折曲げ線と、上記装着体側閉塞板の上記斜辺が交わるところを支点とする上記装着体側閉塞板に配設した折曲げ線により、扁平状に折畳み自在となり、未使用時にはスペースを取らない折畳み方式となり、使い捨てできるところの安価な組立収納容器となる。【００１２】  また、略四辺形からなる装着体側閉塞板の対向する二辺間に折畳み自在とするための折曲げ線を配設し、この二辺と傾斜板を開閉自在なる四角をもって山形状に形成し、対向する２枚の傾斜板間の角に分割自在なるミシン目を配設し、このミシン目を切り開いて大きな収納物投入口とすることができる。
【発明の実施するための最良の形態】
【００１３】  以下、本発明の実施の形態１及び２を、図１〜図４及び図９〜図１３に基づいて説明する。
【００１４】  先ず、実施の形態１を示す図１〜図４において、使い捨て組立収納容器は収納袋装着体１と収納袋２より構成され、収納袋装着体１は収納袋装着板３、装着体側閉塞板４ａ、４ｂ、係止板５ａ、５ｂ、より形成している。
収納袋装着板３は１枚の厚み０．５ｍｍ程度の厚紙を用い、それぞれ四辺形の底板３ａと対向する傾斜板３ｂ、３ｃを、断面形状が二等辺三角形となるところの三角３ｄ〜３ｆのうちの角３ｅにて接着剤で貼り合わせて筒状にしたものである。
また、収納袋装着板３の三角３ｄ〜３ｆにはそれぞれ折曲げ線３ｇ〜３ｉを配設し、底板３ａにも両端の二角３ｅ、３ｆに平行して二等分するところの折曲げ線３ｊを配設しており、この底板３ａを折曲げ線３ｊをもって対向する傾斜板３ｂ、３ｃ間に折畳むならば、対向する傾斜板３ｂ、３ｃは互いに重なり合うこととなり、収納袋装着板３は扁平状に折畳まれることとなる。
【００１５】  対向する傾斜板３ｂ、３ｃのうちの片方の傾斜板３ｂには、四辺３ｋ〜３ｎからなる四辺形の収納物投入口３ｐを開口している。この収納物投入口３ｐの四辺３ｋ〜３ｎのうち、収納袋装着板３の三角３ｄ〜３ｆに平行するところの対向する二辺３ｋ、３ｍに沿った傾斜板３ｂ内側に、プラスチック製の収納袋２の四辺からなる開口縁のうちの対向する二辺２ａ、２ｂを接合するための係止板５ａ、５ｂを付設している。
係止板５ａ、５ｂも厚み０．５ｍｍ程度の厚紙を用いた長方形の形状とし、この長辺に平行して配設した折曲げ線５ｃ、５ｄにより２分割した固定板５ｅ、５ｆと折返し板５ｇ、５ｈのうち、一方の固定板５ｅ、５ｆは傾斜板３ｂ、３ｃに接着剤にて接着し、他方の折返し板５ｇ、５ｈは上記折曲げ線５ｃ、５ｄに平行して配設した折曲げ線５ｉ、５ｊによりほぼ２等分された分割折返し板５ｋ〜５ｎを形成している。この分割折返し板５ｋ〜５ｎのうちの一方の分割折返し板５ｋ、５ｍを折曲げ線５ｉ、５ｊをもって収納物投入口３ｐ方向に折返し、この折返した分割折返し板５ｋ、５ｍと折返してない他方の分割折返し板５ｌ、５ｎとの間に収納袋２の開口縁を挿入し、さらに、この収納袋２の開口縁を挿入した状態の分割折返し板５ｋ〜５ｎを、上記折曲げ線５ｃ、５ｄをもって収納物投入口３ｐ方向に折返し、上記固定板５ｅ、５ｆに重ね合わせている。このようにして、収納袋２の開口縁は係止板５ａ、５ｂの分割折返し板５ｋ、５ｍを巻き込んだ状態となり、係止板５ａ、５ｂに接合されることとなる。
なお、上記で述べたように収納袋２の開口縁を挿入した状態の分割折返し板５ｋ〜５ｎが固定板５ｅ、５ｆに重ね合わされている限り、収納袋２の開口縁は係止板５ａ、５ｂから分離されることはなく、この状態を安定させるために係止板５ａ、５ｂの長手方向の両端において、分割折返し板５ｋ、５ｍと固定板５ｅ、５ｆを互いに接着剤にて接着している。
また、この接合された収納袋２の開口縁を係止板５ａ、５ｂから分離するには、分割折返し板５ｌ、５ｎの折返しをそれぞれ開放すればよいことになる。従って、分割折返し板５ｋ、５ｍと固定板５ｅ、５ｆを互いに接着した係止板５ａ、５ｂの両端間における分割折返し板５ｋ〜５ｎに、係止板５ａ、５ｂの短辺に平行するところのミシン目５ｐ〜５ｓを配設しており、このミシン目５ｐ〜５ｓを切り開いて分割折返し板５ｋ〜５ｎの折返しをそれぞれ開放し、収納袋２の開口縁は簡単に分離されることとなる。
【００１６】  装着体側閉塞板４ａ、４ｂも厚み０．５ｍｍ程度の厚紙を用い、収納袋装着板３の対向する傾斜板３ｂ、３ｃと底板３ａにより形成される側開口部を閉塞するのが装着体側閉塞板４ａ、４ｂであり、対向する傾斜板３ｂ、３ｃと対向する装着体側閉塞板４ａ、４ｂは、二等辺三角形なる装着体側閉塞板４ａ、４ｂの斜辺に沿うところの四角４ｃ〜４ｆにて接着剤にて互いに貼り合せて山形状に形成している。
また、この四角４ｃ〜４ｆにもそれぞれ折曲げ線４ｇ〜４ｊを配設し、対向する装着体側閉塞板４ａ、４ｂにも斜辺が交わるところを支点とする折曲げ線４ｋ、４ｌを配設しており、この対向する装着体側閉塞板４ａ、４ｂを対向する傾斜板３ｂ、３ｃ間にそれぞれ折畳むならば、対向する傾斜板３ｂ、３ｃも互いに重なり合うこととなり、収納袋装着体１は扁平状に折畳まれることとなる。
従って、収納袋２を装着する傾斜板３ｂ、３ｃと底板３ａからなる収納袋装着板３と、この収納袋２が露見しないようにする装着体側閉塞板４ａ、４ｂが一体に形成されて、安価な使い捨て組立収納容器となる。
【００１７】  上記の実施例において、収納袋２の材質はプラスチック製としているが、紙製であってもよい。
また、安価な組立収納容器とするために、係止板５ａ、５ｂは不要とし収納袋２の開口縁を直接傾斜板３ｂに接着剤にて接着してもよい。
しかしながら、使い捨てとし廃棄する場合でも、収納袋２は収納袋装着体１から剥離する必要があり、傾斜板３ｂのうちの収納袋２の開口縁を接着した部分が簡単に分離できるところのミシン目を配設してもよい。
【００１８】  また、収納袋２の開口縁を直接傾斜板３ｂに接着剤にて接着する場合、別途、簡単に収納袋２の開口縁を剥離できるように補助板を設けてもよい。例えば、この補助板を係止板５ａ、５ｂと同等なる材質からなる長方形のものとし、この両面のうちの一方は収納袋２の開口縁と接着し、他方は傾斜板３ｂ、３ｃと簡単に剥離できるように部分的に接着しておけば、この補助板を傾斜板３ｂ、３ｃから分離することは簡単であり、この後に補助板から収納袋２の開口縁を剥離すればよい。さらにこの時、補助板の長手方向の両端をそれぞれ互いに接合して環状とするならば、この両端の接合したところを引っ張ることで補助板を傾斜板３ｂ、３ｃから簡単に分離できることとなる。
【００１９】  また、収納袋装着板３の対向する傾斜板３ｂ、３ｃのうち片方の傾斜板３ｂのみに収納物投入口３ｐを開口しているが、両方の傾斜板３ｂ、３ｃに開口して２枚の収納袋が装着できるようにしてもよい。この時、傾斜板３ｂ、３ｃが交わるところの上部の角３ｄ内側に、開閉自在なる折曲げ線をもって接合するところの仕切板を設け、２枚の収納袋が互いに接触することのないようにしてもよい。
さらに、この２個の収納物投入口の間に位置することとなる上部の角３ｄを含む傾斜板３ｂ、３ｃを削除して１個の収納物投入口とするならば、ほぼ真上からゴミや廃品等を投入できるところの大きな収納物投入口とすることができる。なお、この大きな１個の収納物投入口を有する傾斜板３ｂ、３ｃにおいて２枚の収納袋を装着しようとする場合、上部の角３ｄのうち中央部は削除されても両端は角を形成しており、この両端の角３ｄに上記とほぼ同等なる仕切板の両端を接合し、上部の角３ｄに平行するところの収納物投入口の対向する二辺と、これに対応する仕切板の両面に、２枚の収納袋の開口縁をそれぞれ接合すればよい。
【００２０】  また、実施例のように収納物投入口３ｐは未使用の時から開口されていてもよいが、四辺３ｋ〜３ｎからなる四辺形の収納物投入口３ｐのうち、三辺３ｌ〜３ｎのみコ字状にミシン目を配設し、残る一辺３ｋに配設した折曲げ線をもって開閉自在とする四辺形なるものにて、収納袋装着体１内が露見しないようにしてもよい。もちろん、四辺３ｋ〜３ｎすべてをミシン目としてもよい。
【００２１】  また、底板３ａは、収納袋装着板３の二角３ｅ、３ｆに沿って全面に付設しているが、収納袋２が保護・保持され、収納袋装着体１の山形形状が安定する範囲にて、装着体側閉塞板４ａ、４ｂが位置するところの両側を除いて中央部分だけに付設してもよい。もちろん、底板３ａすべてを除去するならば、より安価なものとなることは言うまでもない。
また、装着体側閉塞板４ａ、４ｂは、この斜辺が交わるところまで閉塞して二等辺三角形の形状としているが、側開口部の全面を閉塞する必要はなく、収納袋装着体１の山形形状が安定する範囲にて斜辺が交わる付近は開口して、収納袋装着体１を手にて持上げる時等にこの開口部を利用するようにしてもよい。
【００２２】  次に、実施の形態２を示す図９〜図１３において、使い捨て組立収納容器は収納袋装着体Ａ１と収納袋２より構成され、収納袋装着体Ａ１は収納袋装着板Ａ３、装着体側閉塞板Ａ４ａ、Ａ４ｂ、係止板Ａ５ａ、Ａ５ｂ、より形成している。
実施の形態２は、上記実施の形態１における収納物投入口３ｐを大きな開口とする場合の実施例であり、収納袋装着板Ａ３は実施の形態１における収納袋装着板３と同等であり、底板Ａ３ａ、傾斜板Ａ３ｂ、Ａ３ｃ、三角Ａ３ｄ〜Ａ３ｆ、折曲げ線Ａ３ｇ〜Ａ３ｊは、実施の形態１における底板３ａ、傾斜板３ｂ、３ｃ、三角３ｄ〜３ｆ、折曲げ線３ｇ〜３ｊにそれぞれ相当するものである。
ただし、実施の形態１における収納物投入口３ｐの四辺３ｋ〜３ｎは、実施の形態２においてはミシン目Ａ３ｋ〜Ａ３ｎとし、このうちの対向する長辺Ａ３ｋ、Ａ３ｍは対向する傾斜板Ａ３ｂ、Ａ３ｃにそれぞれ配設して、収納物投入口Ａ３ｐは対向する傾斜板Ａ３ｂ、Ａ３ｃが接する角Ａ３ｄにて二等分される位置に設置されている。
また、対向する傾斜板Ａ３ｂ、Ａ３ｃが接する角Ａ３ｄにもミシン目Ａ３ｑを配設している。
したがって、プラスチック製の収納袋２の開口縁のうちの対向する二辺２ａ、２ｂを接合するための係止板Ａ５ａ、Ａ５ｂは、収納物投入口Ａ３ｐの対向する長辺Ａ３ｋ、Ａ３ｍに対応して対向する傾斜板Ａ３ｂ、Ａ３ｃにそれぞれ付設されることとなる。
なお、係止板Ａ５ａ、Ａ５ｂは実施の形態１における係止板５ａ、５ｂと同等であり、折曲げ線Ａ５ｃ、Ａ５ｄ、Ａ５ｉ、Ａ５ｊ、固定板Ａ５ｅ、Ａ５ｆ、折返し板Ａ５ｇ、Ａ５ｈ、分割折返し板Ａ５ｋ〜Ａ５ｎ、ミシン目Ａ５ｐ〜Ａ５ｓは、実施の形態１における折曲げ線５ｃ、５ｄ、５ｉ、５ｊ、固定板５ｅ、５ｆ、折返し板５ｇ、５ｈ、分割折返し板５ｋ〜５ｎ、ミシン目５ｐ〜５ｓにそれぞれ相当するものである。
【００２３】  また、実施の形態１と同等なる要領にて、対向する傾斜板Ａ３ｂ、Ａ３ｃを逆Ｖ字形に形成して、二等辺三角形の対向する側開口部を厚み０．５ｍｍ程度の厚紙からなる装着体側閉塞板Ａ４ａ、Ａ４ｂにて閉塞している。この時、装着体側閉塞板Ａ４ａ、Ａ４ｂをそれぞれ四辺Ａ４ｍ〜Ａ４ｑ、Ａ４ｒ〜Ａ４ｕからなる略四辺形の外形形状としている。
したがって、装着体側閉塞板Ａ４ａ、Ａ４ｂの四辺Ａ４ｍ〜Ａ４ｑ、Ａ４ｒ〜Ａ４ｕのうちの対向する二辺Ａ４ｍとＡ４ｐ、Ａ４ｒとＡ４ｔを、これに対応する傾斜板Ａ３ｂ、Ａ３ｃと逆Ｖ字形に沿うところの四角Ａ４ｃ〜Ａ４ｆにて接着剤にて互いに貼り合せる場合、装着体側閉塞板Ａ４ａ、Ａ４ｂには上記二辺Ａ４ｍとＡ４ｐ、Ａ４ｒとＡ４ｔに平行して二等分されるところの折曲げ線Ａ４ｋ、Ａ４ｌを配設しており、この折曲げ線Ａ４ｋ、Ａ４ｌと厚紙が有する弾力性をもって、側開口部が二等辺三角形の山形状になるように、傾斜板Ａ３ｂ、Ａ３ｃと装着体側閉塞板Ａ４ａ、Ａ４ｂは形成されることとなる。
また、傾斜板Ａ３ｂ、Ａ３ｃと装着体側閉塞板Ａ４ａ、Ａ４ｂを接合するところの四角Ａ４ｃ〜Ａ４ｆにもそれぞれ折曲げ線Ａ４ｇ〜Ａ４ｊを配設しており、対向する装着体側閉塞板Ａ４ａ、Ａ４ｂを対向する傾斜板Ａ３ｂ、Ａ３ｃ間にそれぞれ折畳むならば、対向する傾斜板Ａ３ｂ、Ａ３ｃも互いに重なり合うこととなり、収納袋装着体Ａ１は扁平状に折畳まれることとなる。
なお、装着体側閉塞板Ａ４ａ、Ａ４ｂにおいて、装着体側閉塞板Ａ４ａ、Ａ４ｂを上記のように二等辺三角形とするためには、下辺Ａ４ｑ、Ａ４ｕが底板Ａ３ａに沿うように、折曲げ線Ａ４ｋ、Ａ４ｌは斜辺となる折曲げ線Ａ４ｇ〜Ａ４ｊより短くする必要がある。従って、折曲げ線Ａ４ｋ、Ａ４ｌと底板Ａ３ａが接するところの接点Ａ４ｋＰ、Ａ４ｌＰと、折曲げ線Ａ４ｇ〜Ａ４ｊと底板Ａ３ａが接するところの接点Ａ４ｇＰ〜Ａ４ｊＰをそれぞれ結ぶ線にて、下辺Ａ４ｑ、Ａ４ｕを凹状に除去している。
【００２４】  従って、収納袋２を装着する傾斜板Ａ３ｂ、Ａ３ｃと底板Ａ３ａからなる収納袋装着板Ａ３と、この収納袋２が露見しないようにする装着体側閉塞板Ａ４ａ、Ａ４ｂが一体に形成されて、安価な使い捨て組立収納容器となる。
また、収納物を投入する場合、傾斜板Ａ３ｂ、Ａ３ｃと装着体側閉塞板Ａ４ａ、Ａ４ｂを山形状に形成した状態にて、ミシン目Ａ３ｋ〜Ａ３ｎを切り開いて底板Ａ３ａに平行して開口する収納物投入口Ａ３ｐに投入してもよいが、傾斜板Ａ３ｂ、Ａ３ｃが接する角Ａ３ｄのミシン目Ａ３ｑを切り開くならば、折曲げ線Ａ４ｋ、Ａ４ｌをもって折畳まれた装着体側閉塞板Ａ４ａ、Ａ４ｂが開放され、対向する傾斜板Ａ３ｂ、Ａ３ｃと対向する装着体側閉塞板Ａ４ａ、Ａ４ｂを四辺とするような大きな収納物投入口とすることができる。
【００２５】  上記の実施例において、装着体側閉塞板Ａ４ａ、Ａ４ｂにはそれぞれ１本の折曲げ線Ａ４ｋ、Ａ４ｌを配設して、傾斜板Ａ３ｂ、Ａ３ｃと装着体側閉塞板Ａ４ａ、Ａ４ｂを山形状に形成しているが、収納物を投入する場合、収納物がこの折畳んだ装着体側閉塞板Ａ４ａ、Ａ４ｂに当接することのないように、なるべく折畳んだ装着体側閉塞板Ａ４ａ、Ａ４ｂは内側に位置しないほうが望ましいことは言うまでもなく、装着体側閉塞板Ａ４ａ、Ａ４ｂには複数の折曲げ線を配設して蛇腹方式に折畳み、内側には位置しないようにしてもよい。
また、収納袋２の開口縁のうちの対向する二辺２ａ、２ｂだけが、係止板Ａ５ａ、Ａ５ｂにより傾斜板Ａ３ｂ、Ａ３ｃに接合されているが、装着体側閉塞板Ａ４ａ、Ａ４ｂの上辺Ａ４ｎ、Ａ４ｓ附近にそれぞれ切り込みを配設し、収納袋２の二辺２ａ、２ｂを除く開口縁をこの切り込みに挟着して、収納袋２を確実に保持するようにしてもよい。
【００２６】  また、ミシン目を収納物投入口Ａ３ｐと角Ａ３ｄにそれぞれ配設しているが、収納物が収納物投入口Ａ３ｐより大きいとか、収納物を投入後に即時その組立収納容器を廃棄する場合、すなわち、装着体側閉塞板Ａ４ａ、Ａ４ｂを山形状にて形成させる必要のない場合には、当然収納物投入口Ａ３ｐは不要であり、角Ａ３ｄだけにミシン目を配設し、係止板Ａ５ａ、Ａ５ｂ等の収納袋開口縁を着脱自在に挟着できるところの係止溝を角Ａ３ｄに沿って並設すればよい。この時、装着体側閉塞板Ａ４ａ、Ａ４ｂにおいて、上記で述べたように下辺Ａ４ｑ、Ａ４ｕを凹状に除去する必要はなく、下辺Ａ４ｑ、Ａ４ｕは上辺Ａ４ｎ、Ａ４ｓに平行するものであればよい。また、対向する傾斜板Ａ３ｂ、Ａ３ｃが角Ａ３ｄにおいて最初から分離されていてもよいことは言うまでもない。
また、角Ａ３ｄには１本の折曲げ線Ａ３ｇだけを配設しているが、この折曲げ線Ａ３ｇに平行して両側に、１０ｍｍ程度の巾をもって２本の折曲げ線を設け、この２本の折曲げ線をもって上記１０ｍｍ程度の巾を折返して対応する傾斜板Ａ３ｂ、Ａ３ｃにそれぞれ接着するならば、この接着部を左右に開いて、中間に位置することとなる折曲げ線Ａ３ｇに有するミシン目Ａ３ｑを簡単に切り開けられることとなる。
【図面の簡単な説明】
【００２７】
【図１】本発明の実施形態１を示す使い捨て組立収納容器の側面より見た要部断面図
【図２】同収納袋装着体の正面図
【図３】同収納袋装着板の折畳んだ状態における側面より見た要部断面図
【図４】同収納袋装着板の折畳んだ状態における上方より見た要部断面図
【図５】従来の組立収納容器の側面より見た要部断面図
【図６】同収納袋装着板の正面図
【図７】同収納袋装着板の折畳んだ状態における側面より見た要部断面図
【図８】同収納袋閉塞体の折畳んだ状態における上方より見た要部断面図
【図９】本発明の実施形態２を示す使い捨て組立収納容器の側面より見た要部断面図
【図１０】同収納袋装着体の平面図
【図１１】同装着体側閉塞板の展開図
【図１２】同収納袋装着板の折畳んだ状態における側面より見た要部断面図
【図１３】同収納袋装着板の折畳んだ状態における上方より見た要部断面図
【符号の説明】
【００２８】Ａ１、１、６  収納袋装着体
２  収納袋
Ａ４ｍ〜Ａ４ｑ、Ａ４ｒ〜Ａ４ｕ、２ａ、２ｂ、３ｋ〜３ｎ、８ｋ〜８ｎ、９ａ、９ｂ  辺
Ａ３、３、８  収納袋装着板
Ａ３ａ、３ａ、８ａ  底板
Ａ３ｂ、Ａ３ｃ、３ｂ、３ｃ、８ｂ、８ｃ  傾斜板
Ａ３ｄ〜Ａ３ｆ、Ａ４ｃ〜Ａ４ｆ、３ｄ〜３ｆ、４ｃ〜４ｆ、７ｅ〜７ｈ、８ｄ〜８ｆ  角
Ａ３ｇ〜Ａ３ｊ、Ａ４ｇ〜Ａ４ｌ、Ａ５ｃ、Ａ５ｄ、Ａ５ｉ、Ａ５ｊ  ３ｇ〜３ｊ、４ｇ〜４ｌ、５ｃ、５ｄ、５ｉ、５ｊ、７ｉ〜７ｎ、７ｐ、８ｇ〜８ｊ  折曲げ線
Ａ３ｐ、３ｐ、８ｐ  収納物投入口
Ａ４ａ、Ａ４ｂ、４ａ、４ｂ  装着体側閉塞板
Ａ４ｇＰ〜Ａ４ｌＰ  接点
Ａ５ａ、Ａ５ｂ、５ａ、５ｂ  係止板
Ａ５ｅ、Ａ５ｆ  ５ｅ、５ｆ  固定板
Ａ５ｇ、Ａ５ｈ、５ｇ、５ｈ  折返し板
Ａ５ｋ〜Ａ５ｎ、５ｋ〜５ｎ  分割折返し板
Ａ３ｋ〜Ａ３ｎ、Ａ３ｑ、Ａ５ｐ〜Ａ５ｓ、５ｐ〜５ｓ  ミシン目
７  収納袋閉塞体
７ａ、７ｂ  積層傾斜板
７ｃ、７ｄ  側閉塞板
８ｑ、８ｒ  係止溝
９  組立保持板
【図１】
2006052015.tif 000003
【図２】
2006052015.tif 000004
【図３】
2006052015.tif 000005
【図４】
2006052015.tif 000006
【図５】
2006052015.tif 000007
【図６】
2006052015.tif 000008
【図７】
2006052015.tif 000009
【図８】
2006052015.tif 000010
【図９】
2006052015.tif 000011
【図１０】
2006052015.tif 000012
【図１１】
2006052015.tif 000013
【図１２】
2006052015.tif 000014
【図１３】
2006052015.tif 000015